(57)【要約】【課題】表示板を安定させるとともに、内容物の訴求性を高めることができる包装箱を提供する。【解決手段】包装箱１であって、底板１０と、底板１０に連設された前端壁１１、後端壁１２、左右の側壁１３，１４と、後端壁１２に連設された頂板１５と、を備えている。前端壁１１には第一切断誘導線Ｌ１１が形成され、前端壁１１および頂板１５には、第一切断誘導線Ｌ１１から後端壁１２の上縁部に亘って左右の第二切断誘導線Ｌ１２，Ｌ１２が形成されている。第二切断誘導線Ｌ１２は、側壁１３，１４よりも中央側に配置され、両第二切断誘導線Ｌ１２，Ｌ１２の間に表示板４０が形成されている。第一切断誘導線Ｌ１１から側壁１３，１４に亘って第三切断誘導線Ｌ１３が形成されている。頂板１５および側壁１３，１４には、第二切断誘導線Ｌ１２から第三切断誘導線Ｌ１３に亘って第四切断誘導線Ｌ１４が形成されている。【選択図】図７
2019018890.tif 000002
【特許請求の範囲】
【請求項１】
底板と、
前記底板に連設された前端壁および後端壁と、
前記底板に連設された左右の側壁と、
前記後端壁の上縁部に連設された頂板と、を備え、
前記前端壁には、左右方向に延びている第一切断誘導線が形成され、
前記前端壁および前記頂板には、前記第一切断誘導線から前記後端壁の上縁部に亘って左右の第二切断誘導線が形成され、
前記第二切断誘導線は、前記側壁よりも中央側に配置され、前記両第二切断誘導線の間に表示板が形成されており、
前記第一切断誘導線から前記側壁の前部に亘って第三切断誘導線が形成され、
前記頂板および前記側壁には、前記第二切断誘導線から前記第三切断誘導線に亘って第四切断誘導線が形成されていることを特徴とする包装箱。
【請求項２】
請求項１に記載の包装箱であって、
前記後端壁と前記表示板とは、第五切断誘導線を介して連設されていることを特徴とする包装箱。
【請求項３】
請求項１または請求項２に記載の包装箱であって、
前記後端壁には、左右方向に延びている第六切断誘導線が形成されており、
前記第六切断誘導線は、前記後端壁から前記側壁の後部に亘って延びていることを特徴とする包装箱。
【発明の詳細な説明】
【技術分野】
【０００１】
本発明は、包装箱に関する。
【背景技術】
【０００２】
商品情報が印刷された表示板を有する包装箱としては、開封時に頂板全体が表示板となるように構成されているものがある（例えば、特許文献１参照）。このような包装箱では、表示板を後端壁の上縁部に起立させると、包装箱の上面全体が開口した状態となる。
【先行技術文献】
【特許文献】
【０００３】
【特許文献１】特開２０００−１９０９５５号公報
【発明の概要】
【発明が解決しようとする課題】
【０００４】
前記した従来の包装箱では、表示板を後端壁の上縁部に起立させたときに、後端壁は側壁のみに支持されているため、後端壁および表示板が不安定になるという問題がある。
また、前記した従来の包装箱では、表示板を起立させたときに、内容物の側面全体が側壁に覆われているため、内容物の訴求性が低いという問題がある。
【０００５】
本発明は、前記した問題を解決し、表示板を安定させるとともに、内容物の訴求性を高めることができる包装箱を提供することを課題とする。
【課題を解決するための手段】
【０００６】
前記課題を解決するため、本発明は、包装箱であって、底板と、前記底板に連設された前端壁および後端壁と、前記底板に連設された左右の側壁と、前記後端壁の上縁部に連設された頂板と、を備えている。前記前端壁には、左右方向に延びている第一切断誘導線が形成され、前記前端壁および前記頂板には、前記第一切断誘導線から前記後端壁の上縁部に亘って左右の第二切断誘導線が形成されている。前記第二切断誘導線は、前記側壁よりも中央側に配置され、前記両第二切断誘導線の間に表示板が形成されている。前記第一切断誘導線から前記側壁の前部に亘って第三切断誘導線が形成されている。前記頂板および前記側壁には、前記第二切断誘導線から前記第三切断誘導線に亘って第四切断誘導線が形成されている。
【０００７】
本発明の包装箱では、第一切断誘導線および第二切断誘導線を切り開いて、表示板を起立させたときに、頂板の中央部が開口し、頂板の左右の側端部は残ることになる。これにより、表示板を起立させたときに、後端壁は左右の側壁および頂板によって支持されるため、後端壁および表示板を安定させることができる。
【０００８】
本発明の包装箱では、第一切断誘導線および第二切断誘導線を切り開いた後に、第三切断誘導線および第四切断誘導線を切り開くことで、側壁の前部の上側を切り取ることができる。これにより、内容物の側面を露出させることができるため、内容物の訴求性を高めることができる。
【０００９】
前記した包装箱において、前記後端壁と前記表示板とを第五切断誘導線を介して連設することが好ましい。
この構成では、第一切断誘導線および第二切断誘導線を切り開いて、表示板を起立させた後に、第五切断誘導線を切り開くことで、後端壁から表示板を切り離すことができる。これにより、開封後の包装箱に他の包装箱を積み重ねることができる。このとき、包装箱には頂板の左右の側端部が残っているため、包装箱に他の包装箱を安定して積み重ねることができる。
【００１０】
前記した包装箱において、前記後端壁には、左右方向に延びている第六切断誘導線を形成し、前記第六切断誘導線が前記後端壁から前記側壁の後部に亘って延びていることが好ましい。
この構成は、第一切断誘導線、第三切断誘導線および第六切断誘導線を切り開くことで、包装箱の上部全体を切り取ることができるため、包装箱をトレイとして利用することができる。
【発明の効果】
【００１１】
本発明の包装箱では、表示板を安定させることができるとともに、内容物の側面を露出させて内容物の訴求性を高めることができる。
【図面の簡単な説明】
【００１２】
【図１】本発明の実施形態に係る包装箱を前方右上から見た斜視図である。
【図２】本発明の実施形態に係る包装箱を後方左上から見た斜視図である。
【図３】本発明の実施形態に係る包装箱のブランクシートを示した図である。
【図４】本発明の実施形態に係る包装箱において、表示板を開き始めた状態を前方右上から見た斜視図である。
【図５】本発明の実施形態に係る包装箱において、表示板を折り曲げる段階を前方右上から見た斜視図である。
【図６】本発明の実施形態に係る包装箱において、表示板を起立させた状態を前方右上から見た斜視図である。
【図７】本発明の実施形態に係る包装箱において、側壁の前部を切り取った状態を前方右上から見た斜視図である。
【図８】本発明の実施形態に係る包装箱において、表示板を切り取った状態を前方右上から見た斜視図である。
【発明を実施するための形態】
【００１３】
本発明の実施形態について、適宜図面を参照しながら詳細に説明する。
以下の説明において、前後方向および左右方向とは、本実施形態の包装箱を説明する上で便宜上設定したものであり、包装箱の構成を限定するものではない。
【００１４】
本実施形態の包装箱１は、図１および図２に示すように、底板１０と、底板１０に連設された前端壁１１、後端壁１２、左側壁１３および右側壁１４と、後端壁１２に連設された頂板１５と、を備えているラップアラウンド方式の段ボール箱である。
【００１５】
包装箱１は、図３に示すように、一枚の段ボール製のシートを切り抜いたブランクシートＳを各罫線において山折りまたは谷折りすることで形成される。図３に示すブランクシートＳは内面側が見えるように配置されている。
ブランクシートＳの各罫線（折線）は、ブランクシートＳの表面を押し込んで形成された線状の溝である。なお、罫線に切れ込みを形成してもよい。このようにすると、罫線においてブランクシートＳを折り曲げ易くなる。
【００１６】
底板１０は、図３に示すように、四角形に形成されている。
底板１０の前縁部には、図１に示すように、罫線Ｌ１を介して、前端壁１１が連設されている。前端壁１１は、四角形に形成されており、底板１０の前縁部から上方に向けて延びている。前端壁１１は、底板１０に対して垂直に形成されている。
【００１７】
底板１０の後縁部には、図２に示すように、罫線Ｌ２を介して、後端壁１２が連設されている。後端壁１２は、前端壁１１（図１参照）と同じ形状であり、底板１０の後縁部から上方に向けて延びている。後端壁１２は、底板１０に対して垂直に形成されている。
【００１８】
後端壁１２の上縁部には、罫線Ｌ３を介して、頂板１５が連設されている。頂板１５は、底板１０と同じ形状であり、後端壁１２の上縁部から前方に向けて延びている。頂板１５は、後端壁１２に対して垂直に形成されている。
【００１９】
頂板１５の前縁部には、図１に示すように、罫線Ｌ４を介して、接合片１６が連設されている。接合片１６は、頂板１５の前縁部に沿って帯状に形成されている。接合片１６は、前端壁１１の外面の上端部にホットメルト等の接着剤によって接合される部位である。
【００２０】
ブランクシートＳ（図３参照）を罫線Ｌ１〜Ｌ４で折り曲げつつ、接合片１６を前端壁１１の外面に接合すると、前端壁１１、底板１０、後端壁１２および頂板１５が四角形の角筒状を呈するようになる。
【００２１】
右側壁１４は、前端壁１１に連設された前側の内フラップ２１と、後端壁１２に連設された後側の内フラップ２２と、頂板１５に連設された上側の外フラップ２３と、底板１０に連設された下側の外フラップ２４と、によって構成されている。
【００２２】
上下の外フラップ２３，２４は、前後の内フラップ２１，２２の外面に重ねられている。そして、両外フラップ２３，２４の内面と両内フラップ２１，２２の外面とがホットメルト等の接着剤によって接合されている。
上下の外フラップ２３，２４は、上下方向に間隔を空けて配置されている。上下の外フラップ２３，２４の間には、前後の内フラップ２１，２２の中央部が露出している。
【００２３】
左側壁１３は、右側壁１４と左右対称な構成であり、図２に示すように、前後の内フラップ２１，２２および上下の外フラップ２３，２４によって、右側壁１４が形成されている。
【００２４】
前端壁１１には、図１に示すように、左右方向に延びている第一切断誘導線Ｌ１１が形成されている。第一切断誘導線Ｌ１１は、前端壁１１の上下方向の略中央部に配置されている。第一切断誘導線Ｌ１１の左右の端部は、前端壁１１の左右の縁部よりも中央側に配置されている。
【００２５】
本実施形態の第一切断誘導線Ｌ１１は、前端壁１１の内面に貼り付けられた樹脂製の第一カットテープＴ１によって構成されている。そして、第一カットテープＴ１を外方に引っ張ることで、第一カットテープＴ１によって前端壁１１を切断することができる。
【００２６】
前端壁１１において、第一カットテープＴ１の中央部に対応する位置には、スリットによって区画された第一開封開始部３１が形成されている。第一カットテープＴ１は、第一開封開始部３１によって左右に分断されている。
第一開封開始部３１は、壁部を左右両方に向けて切り開くことができるように形成されている。そして、第一開封開始部３１を開くことで、第一カットテープＴ１の端部を外方に引っ張ることができる。
【００２７】
前端壁１１、接合片１６および頂板１５には、第一切断誘導線Ｌ１１から後端壁１２の上縁部（罫線Ｌ３）に亘って左右の第二切断誘導線Ｌ１２，Ｌ１２が形成されている。
第二切断誘導線Ｌ１２は、複数の切れ込みを連続させたミシン目状の線である。なお、第二切断誘導線Ｌ１２をハーフカット線によって形成してもよい。
【００２８】
左側の第二切断誘導線Ｌ１２は、第一切断誘導線Ｌ１１の左端部から後端壁１２の上縁部（罫線Ｌ３）に亘って延びている。左側の第二切断誘導線Ｌ１２は、左側壁１３よりも中央側に配置されている。すなわち、左側の第二切断誘導線Ｌ１２は、前端壁１１、接合片１６および頂板１５の左縁部よりも中央側に間隔を空けて配置されている。
これにより、頂板１５の左縁部と左側の第二切断誘導線Ｌ１２との間には、帯状の側端部１５ａが形成されている。
【００２９】
右側の第二切断誘導線Ｌ１２は、第一切断誘導線Ｌ１１の右端部から後端壁１２の上縁部に亘って延びている。右側の第二切断誘導線Ｌ１２は、左側の第二切断誘導線Ｌ１２と左右対称な構成である。そして、頂板１５の右縁部と右側の第二切断誘導線Ｌ１２との間にも帯状の側端部１５ａが形成されている。
【００３０】
前端壁１１、接合片１６および頂板１５において、左右の第二切断誘導線Ｌ１２，Ｌ１２の間には、表示板４０が形成されている。
表示板４０には、左側の第二切断誘導線Ｌ１２から右側の第二切断誘導線Ｌ１２に亘って左右方向に延びている中間線Ｌ２１が形成されている。中間線Ｌ２１は、頂板１５の前後方向の略中央部に配置されている。
表示板４０は、中間線Ｌ２１によって、前板４１と後板４２とに区画されている。前板４１の上面には、内容物の商品情報やイラストなどが印刷されている。
中間線Ｌ２１の左右の端部は直線状の罫線である。また、中間線Ｌ２１の中央部は、後方に向けて凸となるように円弧状に湾曲したミシン目状の線である。なお、中間線Ｌ２１の中央部をハーフカット線によって形成してもよい。
【００３１】
前端壁１１および右側壁１４には、第一切断誘導線Ｌ１１の右端部から前側の内フラップ２１の後縁部に亘って右側の第三切断誘導線Ｌ１３が延びている。第三切断誘導線Ｌ１３は、上下の外フラップ２３，２４の間に延びている。
【００３２】
本実施形態の第三切断誘導線Ｌ１３は、前端壁１１および内フラップ２１の内面に貼り付けられた樹脂製の第二カットテープＴ２によって構成されている。そして、第二カットテープＴ２を外方に引っ張ることで、第二カットテープＴ２によって前端壁１１および内フラップ２１を切断することができる。
【００３３】
前端壁１１および左側壁１３には、図２に示すように、第一切断誘導線Ｌ１１の左端部から前側の内フラップ２１の後縁部に亘って左側の第三切断誘導線Ｌ１３が延びている。  左側の第三切断誘導線Ｌ１３は、右側の第三切断誘導線Ｌ１３と左右対称な構成である。
【００３４】
図１に示すように、前端壁１１において、左右の第二カットテープＴ２，Ｔ２の端部に対応する位置には、スリットによって区画された左右の第二開封開始部３２が形成されている。
第二開封開始部３２は、壁部を左右の一方に向けて切り開くことができるように形成されている。そして、第二開封開始部３２を開くことで、第二カットテープＴ２の端部を外方に引っ張ることができる。
【００３５】
頂板１５および右側壁１４には、図１に示すように、右側の第二切断誘導線Ｌ１２から第三切断誘導線Ｌ１３の端部に亘って右側の第四切断誘導線Ｌ１４が形成されている。第四切断誘導線Ｌ１４は、ミシン目状の線である。なお、第四切断誘導線Ｌ１４をハーフカット線によって形成してもよい。
【００３６】
第四切断誘導線Ｌ１４は、右側の第二切断誘導線Ｌ１２の後部から斜め前方に向けて延びており、頂板１５の右縁部の中央部に接続されている。さらに、第四切断誘導線Ｌ１４は、頂板１５の右縁部の中央部（上側の外フラップ２３の上縁部の中央部）から上側の外フラップ２３の下縁部に亘って延びている。
【００３７】
頂板１５および左側壁１３には、図２に示すように、左側の第二切断誘導線Ｌ１２から第三切断誘導線Ｌ１３の端部に亘って左側の第四切断誘導線Ｌ１４が形成されている。左側の第四切断誘導線Ｌ１４は、右側の第四切断誘導線Ｌ１４と左右対称な構成である。
【００３８】
後端壁１２と表示板４０とは、第五切断誘導線Ｌ１５を介して連設されている。第五切断誘導線Ｌ１５は、ミシン目状の線である。なお、第五切断誘導線Ｌ１５をハーフカット線によって形成してもよい。
第五切断誘導線Ｌ１５は、後端壁１２の上縁部（罫線Ｌ３）において、左右の第二切断誘導線Ｌ１２，Ｌ１２の間に形成されている。
【００３９】
後端壁１２には、図１および図２に示すように、左右方向に延びている第六切断誘導線Ｌ１６が形成されている。第六切断誘導線Ｌ１６は、後端壁１２の上下方向の中央部に配置されている。
第六切断誘導線Ｌ１６は、左右の後側の内フラップ２２，２２の前縁部に亘って延びている。第六切断誘導線Ｌ１６は、上下の外フラップ２３，２４の間に延びている。
【００４０】
本実施形態の第六切断誘導線Ｌ１６は、後端壁１２および内フラップ２２の内面に貼り付けられた樹脂製の第三カットテープＴ３によって構成されている。そして、第三カットテープＴ３を外方に引っ張ることで、第三カットテープＴ３によって後端壁１２および内フラップ２２を切断することができる。
【００４１】
図２に示すように、後端壁１２において、第三カットテープＴ３の中央部に対応する位置には、スリットによって区画された第三開封開始部３３が形成されている。第三カットテープＴ３は、第三開封開始部３３によって左右に分断されている。
第三開封開始部３３は、壁部を左右両方に向けて切り開くことができるように形成されている。そして、第三開封開始部３３を開くことで、第三カットテープＴ３の端部を外方に引っ張ることができる。
【００４２】
次に、本実施形態の包装箱１を開封する手順について説明する。
まず、図１に示す包装箱１の第一開封開始部３１を開いて、第一カットテープＴ１を左右にそれぞれ引っ張ることで、図４に示すように、第一開封開始部３１から第二開封開始部３２までの間において、第一切断誘導線Ｌ１１を切り開くことができる。これにより、表示板４０の先端縁部が前端壁１１から切り離される。
【００４３】
続いて、表示板４０の先端縁部に手を掛けて、表示板４０を引き上げると、左右の第二切断誘導線Ｌ１２，Ｌ１２が切り開かれる。これにより、表示板４０の左右の縁部が頂板１５から切り離される。
そして、表示板４０を立ち上げると、図５に示すように、頂板１５の中央部および前端壁１１の上部が開口する。これにより、包装箱１が開封された状態となり、内容物を露出させることができる。
【００４４】
表示板４０は、中間線Ｌ２１において後板４２に対して前板４１を前方に折り返す。このとき、中間線Ｌ２１の中央部は切り開かれる。
図６に示すように、表示板４０を後端壁１２の上縁部に対して垂直に起立させ、後板４２の前面に前板４１を重ね合わせると、前板４１の前面に印刷された商品情報やイラストなどを前方に向けて見せることができる。これにより、表示板４０を起立させた包装箱１を店頭に並べたときに人目を引くことができる。
【００４５】
また、左右の第二開封開始部３２，３２から第二カットテープＴ２をそれぞれ引っ張ることで、図７に示すように、左右の第三切断誘導線Ｌ１３，Ｌ１３を切り開くことができる。さらに、左右の第四切断誘導線Ｌ１４，Ｌ１４を切り開くことで、左側壁１３および右側壁１４の前部の上半分を切り取ることができる。
【００４６】
以上のような包装箱１では、表示板４０を起立させたときに、頂板１５の中央部が開口し、頂板１５の左右の側端部１５ａ，１５ａは残ることになる。これにより、包装箱１の表示板４０を起立させたときに、後端壁１２は左側壁１３、右側壁１４および頂板１５によって支持されるため、後端壁１２および表示板４０を安定させることができる。
【００４７】
本実施形態の包装箱１では、左側壁１３および右側壁１４の前部の上半分を切り取ることができる。これにより、内容物の側面を露出させることができるため、内容物の訴求性を高めることができる。
【００４８】
本実施形態の包装箱１では、図５に示すように、第一切断誘導線Ｌ１１および左右の第二切断誘導線Ｌ１２，Ｌ１２を切り開いた後に、図８に示すように、第五切断誘導線Ｌ１５を切り開くことで、後端壁１２から表示板４０（図５参照）を切り離すことができる。
これにより、開封後の包装箱１に他の包装箱を積み重ねることができる。このとき、包装箱１には頂板１５の左右の側端部１５ａ，１５ａが残っているため、包装箱１に他の包装箱を安定して積み重ねることができる。
【００４９】
本実施形態の包装箱１では、図１および図２に示すように、第一切断誘導線Ｌ１１、第三切断誘導線Ｌ１３および第六切断誘導線Ｌ１６を切り開くことで、包装箱１の上部全体を切り取ることができるため、包装箱１をトレイとして利用することができる。
【００５０】
以上、本発明の実施形態について説明したが、本発明は前記実施形態に限定されることなく、その趣旨を逸脱しない範囲で適宜に変更が可能である。
本実施形態の包装箱１では、図１に示すように、第一切断誘導線Ｌ１１、第三切断誘導線Ｌ１３および第六切断誘導線Ｌ１６がカットテープによって構成されているが、その構成は限定されるものではない。例えば、第一切断誘導線Ｌ１１、第三切断誘導線Ｌ１３および第六切断誘導線Ｌ１６をミシン目状の線またはハーフカット線によって構成してもよい。
【００５１】
本実施形態の包装箱１では、表示板４０を折り返して起立させているが、表示板４０を折り返すことなく、一枚の平板状に起立させてもよい。
【００５２】
本実施形態の包装箱１は段ボール製であるが、各種公知の板紙によって包装箱を形成してもよい。
【符号の説明】
【００５３】
１      包装箱
１０    底板
１１    前端壁
１２    後端壁
１３    左側壁
１４    右側壁
１５    頂板
１５ａ  側端部
１６    接合片
２１    前側の内フラップ
２２    後側の内フラップ
２３    上側の外フラップ
２４    下側の外フラップ
３１    第一開封開始部
３２    第二開封開始部
３３    第三開封開始部
４０    表示板
４１    前板
４２    後板
Ｌ１１  第一切断誘導線
Ｌ１２  第二切断誘導線
Ｌ１３  第三切断誘導線
Ｌ１４  第四切断誘導線
Ｌ１５  第五切断誘導線
Ｌ１６  第六切断誘導線
Ｌ２１  中間線
Ｓ      ブランクシート
Ｔ１    第一カットテープ
Ｔ２    第二カットテープ
Ｔ３    第三カットテープ
【図１】
2019018890.tif 000003
【図２】
2019018890.tif 000004
【図３】
2019018890.tif 000005
【図４】
2019018890.tif 000006
【図５】
2019018890.tif 000007
【図６】
2019018890.tif 000008
【図７】
2019018890.tif 000009
【図８】
2019018890.tif 000010